(57)【要約】【目的】夜間における発見を容易にすると同時に、破損のおそれが少ない地下構造物位置表示のための発光装置を提供する。【構成】地下構造物の位置表示のための発光装置１１として、発光面１４を上向きにしてケース１８内に設けられ、目的箇所に取り付けるための取り付け手段（２３）を下部に有する発光部１２と、発光部１２を移動可能に収める部分（１３）を有し、取り付け手段（２３）により発光部１２を収める部分（１３）に組み込む収容部と、発光面１４を上向きに常時付勢するためにケース１８と収容部との間に配置され、発光面１４に及ぼされる外力を弾性変形によって吸収する弾性体２７とによって構成する。【選択図】        図３
2004308167.tif 000002
【特許請求の範囲】
【請求項１】
消火栓その他の地下構造物の位置を表示するための発光装置であって、発光面を上向きにしてケース内に設けられ、目的箇所に取り付けるための取り付け手段を下部に有する発光部と、発光部を移動可能に収める部分を有し、取り付け手段により発光部を収める部分に組み込む収容部と、発光面を上向きに常時付勢するためにケースと収容部との間に配置され、発光面に及ぼされる外力を弾性変形によって吸収する弾性体とから構成される地下構造物位置表示のための発光装置。
【請求項２】
発光部は、発光体と、発光体に電力を送る電源部と、発光体の発光形態を制御する制御部とから成り、電源部として太陽電池を使用する請求項１記載の地下構造物位置表示のための発光装置。
【請求項３】
発光部を収める部分として、消火栓その他の地下構造物の蓋表面に凹部が設けられている請求項１記載の地下構造物位置表示のための発光装置。
【請求項４】
発光部を収める部分が、消火栓その他の地下構造物の蓋受け枠に近接した箇所に、外ケースを用いて設けられている請求項１記載の地下構造物位置表示のための発光装置。
【発明の詳細な説明】
【０００１】
【発明の属する技術分野】
本発明は、消火栓その他の地下構造物の位置を表示するための発光装置に関するものである。
【０００２】
【従来の技術】
消防活動が十分に功を奏するには、消火栓をどれだけ早く探し出すことができるかどうかにかかっており、そのために、消火栓の位置が標識や路面のペイント表示で目立たせてある訳である。しかし夜間の作業では消火栓位置特定が困難であり、消火栓を発見するまでに時間がかかっている。
【０００３】
これに対し、特開平８−３５２３５号では、蓋体から所望の表示を発光させることができる発明を提案しており、これを消火栓に適用すれば、夜間における消火栓発見に役立て得ると思われる。しかしながら、同号の発明のように構成すると、発光体を光拡散性の柱状支持体内に埋設することになるため、外部から発見し難いという問題を生ずる。また同号の発明における従来の技術として図５に示されるように、路面より出る場合、外部から発見し易くなる反面、構造強度増強の必要上重量が過大になるとか、光の透過量が減少するというような問題を生ずる。
【０００４】
【発明が解決しようとする課題】
本発明は前記の点に着目してなされたもので、その課題は、夜間において外部からの発見を容易にすると同時に、過度に構造強度を増さなくても破損のおそれが少ない地下構造物位置表示のための発光装置を提供することである。
【０００５】
【課題を解決するための手段】
前記の課題を解決するため本発明は、地下構造物の位置表示のための発光装置を、発光面を上向きにしてケース内に設けられ、目的箇所に取り付けるための取り付け手段を下部に有する発光部と、発光部を移動可能に収める部分を有し、取り付け手段により発光部を収める部分に組み込む収容部と、発光面を上向きに常時付勢するためにケースと収容部との間に配置され、発光面に及ぼされる外力を弾性変形によって吸収する弾性体とによって構成するという手段を講じたものである。
【０００６】
本発明における発光部は、発光面を上向きにして設けられるので、例えば消火栓蓋の蓋表面であるとか、その近接位置の路面などに発光面を配置できるものとなり、良好な視認性を得ることができる。発光部はケースの内部に発光体とともに、組み込まれている。発光部は、発光機能部分である発光体と、発光体に電力を送る電源部と、発光体の発光形態を制御する制御部とからなり、電源部として太陽電池を使用することが望ましい。
【０００７】
この発光部は、発光体等の全機能部品をケース内に組み込んでユニット化されていること、また全機能部品が、例えば適当な樹脂材料の中に保持されているような構造を持つことも望ましい態様である。さらに発光部はケースの下部に取り付け手段を有する。取り付け手段は、ケース内に設けられている発光部を目的箇所に取り付けるための手段であり、例えばボルト軸、或いはそうした軸を取り付けるねじ穴等が該当する。
【０００８】
発光部を取り付ける目的箇所には収容部が必要である。収容部には、発光部を移動可能に収める部分が必要であり、取り付け手段によってケースごと組み込まれる。収容部は、地下構造物の蓋に設けることができる。この場合、蓋表面に凹部を設け発光部を収める部分とする。また収容部は、地下構造物の位置を表示するものとしてその周囲の例えば蓋受け枠に近接した箇所にも設けられる。
【０００９】
発光面を上向にして、発光部を常時付勢するためにケースと収容部との間に弾性体が配置される。弾性体は弾性変形可能な材料より成り、発光面に及ぼされる外力を吸収して発光部を破壊から保護する、衝撃緩衝機能を有するものとする。また弾性体は、取り付け手段との協働により発光部の発光面を、消火栓蓋の蓋表面などにおいて常時上方へ付勢して定位置に配置し、発光面が最良の視認性を有するように作用する。
【００１０】
【発明の実施の形態】
以下図示の実施形態を参照して本発明をより詳細に説明する。図１ないし図５は本発明を消火栓蓋に適用した例１に関するもので、発光装置１１は、消火栓蓋１０に２箇所に設けられている。
【００１１】
消火栓蓋１０は鋳造によって形成されたダクタイル鋳鉄製のもので、蓋表面には発光部１２を収める部分として２箇所の凹部１３が設けられている。発光部１２は、上部に凸レンズ状の発光面１４を有する発光体１５と、太陽電池１６と、バッテリー並びにチャージコントローラー等を含む電源部及び発光形態を制御する制御部とを有した発光機能部１７を具備し（図３）、ケース１８の中に、樹脂材料より成る充填材１９に保持された状態で組み込まれている。
【００１２】
ケース１８の下面には取り付け手段として雌ねじ部２１が設けてあり、それには同じく取り付け手段であるボルト２３の先端ねじ部２２がねじ込まれる。またケース１８の下面には凹凸部２４が設けられており、収容部として蓋表面に設けられている、凹部底の相手凹凸部２５と係合して上下に移動可能な形態となっている。
【００１３】
例１は消火栓蓋１０が取り付け対象であるので、発光部１２の収容部は蓋表面に設けられている凹部１３であり、発光部１２の取り付けのために、ボルト挿通口２６がその凹部底に設けられている。例１の場合、ボルト挿通口２６は前記の相手凹凸部２５の中心に設けられており、相手凹凸部２５の周囲には発光面１４を上向きに付勢する弾性体２７が介装されている。弾性体２７による発光部１２の押し上げ位置はボルト２３を含む取り付け手段によって規定される。２８はボルト操作のためのボックスレンチを示している。
【００１４】
このような構成を有する例１の発光装置では、蓋表面よりも発光面１４が僅かに出ており、発光面全面としても蓋表面とほぼ同じ位置にあるので、視認性が非常に良好であり、消火栓位置の発見を容易にする。一方、車輪２９によって本装置１１に外力が加えられたような場合、発光機能部分が樹脂材料よりなる充填材１９で保持されており、その上さらに弾性体２７が外力を吸収して収縮するのでダメージを受けるに到らない。またケース１８を鋳物製として、発光機能部分を保護しているため、道路上でも長期間の使用に耐え、また損傷したものを交換するのも容易である。
【００１５】
図６以下は本発明を地下構造物である消火栓の蓋受け枠３０の位置を間接的に表示する例２を示しており、本発明の発光装置１１は路面３１に植設する形態を取る（図７、図８）。発光装置それ自体の構成は前記の例１と同じで良いので、符号を援用し詳細な説明を省略するが、発光部１２を収める部分として消火栓蓋のように凹部は設けられないため、その凹部１３に類似した凹部１３′を有する外ケース３１を用いて設置する。
【００１６】
例２の場合、路面３４に直接施工することになり、それによって消火栓位置を表示する。従って外ケース３１の内側は前記凹部１３と同様でよいが、下面にはボルト２３の上下ストロークを見込んだ寸法を有する筒部３２を設け（図６）、そして端面を覆うキャップ３３を取り付ける。この場合も発光面１４は路面３４にあり、例１と同様に消火栓位置を明示できることとなる。
【００１７】
【発明の効果】
本発明は以上の如く構成されかつ作用するものであるから、夜間においても、発光作用によって消火栓その他の地下構造物の位置を表示し、発見を容易にして早期消火の目的の助けとなり、またそれ自体に外力の吸収緩和機構を内蔵しているので外力によって破壊されるおそれも少ない等顕著な効果を奏する。
【図面の簡単な説明】
【図１】本発明に係る地下構造物位置表示のための発光装置の例１を示す平面図。
【図２】図１のＩＩ−ＩＩ線断面図。
【図３】発光部の断面図。
【図４】着脱の説明のための断面図。
【図５】作用説明のための断面図。
【図６】本発明の例２を示す断面図。
【図７】同上の設置状況を説明する平面図。
【図８】同じく断面説明図。
【符号の説明】
１０  消火栓蓋
１１  発光装置
１２  発光部
１３、１３′  凹部
１４  発光面
１５  発光体
１８  ケース
２７    弾性体
３０  蓋受け枠
３１  外ケース
【図１】
2004308167.tif 000003
【図２】
2004308167.tif 000004
【図３】
2004308167.tif 000005
【図４】
2004308167.tif 000006
【図５】
2004308167.tif 000007
【図６】
2004308167.tif 000008
【図７】
2004308167.tif 000009
【図８】
2004308167.tif 000010